(57)【要約】【課題】  配送センタ等において商品を在庫する必要がなく、その在庫のためのコストアップを抑制することができる商品振り分けシステムを提供する。【解決手段】  商品の供給を受ける供給先群の各供給先１３と、各供給先１３に対して商品の供給を行う供給元１２，１４との間で通信回線を設ける。通信回線を介して各供給先１３の在庫情報を確認して、供給元１２，１４から供給先１３群に供給される商品の供給総量を算出し、算出されたデータを供給元１２，１４に送信する。供給先１３群に対する商品の供給時点において、各供給先１３の在庫情報を確認する。確認された在庫情報に基づいて各供給先１３への商品の振り分け数を算出し、算出されたデータを供給元１２，１４に送信する。【選択図】      図４
2006062815.tif 000002
【特許請求の範囲】
【請求項１】
各供給先の在庫情報を確認して、供給元から供給先群に供給される商品の供給総量を算出して、それを各供給先に振り分ける商品振り分けシステムにおいて、
商品の供給を受ける供給先群に対する商品の供給時点において、各供給先の在庫情報を確認する供給時点在庫情報確認手段と、
その供給時点在庫情報確認手段により確認された在庫情報に基づいて各供給先への商品の振り分け数を算出し、その算出されたデータを通信手段を介して商品の供給を行う供給元に送信する振り分け数算出手段と
を備えたことを特徴とする商品振り分けシステム。
【請求項２】
商品の供給を受ける供給先群の各供給先と、それらの供給先に対して商品の供給を行う供給元との間でデータ通信を行う通信手段と、
各供給先の在庫情報を確認して、供給元から供給先群に供給される商品の供給総量を算出し、その算出されたデータを前記通信手段を介して供給元に送信する供給総量算出手段と、
前記供給先群に対する商品の供給時点において、各供給先の在庫情報を確認する供給時点在庫情報確認手段と、
その供給時点在庫情報確認手段により確認された在庫情報に基づいて各供給先への商品の振り分け数を算出し、その算出されたデータを前記通信手段を介して供給元に送信する振り分け数算出手段と
を備えたことを特徴とする商品振り分けシステム。
【請求項３】
前記供給元が、各供給先に対して商品を振り分ける振り分け部と、その振り分け部に対して商品を出荷する出荷部とよりなり、通信手段は、振り分け部と出荷部との間でデータ通信を行い、前記供給総量のデータを出荷部に、前記振り分け数のデータを振り分け部に送信することを特徴とする請求項１に記載の商品振り分けシステム。
【請求項４】
前記各供給先の最大在庫点、及びその最大在庫点と在庫零点との間の供給基準点を設定する設定手段を備え、前記供給総量算出手段は、在庫情報が最大在庫点または供給基準点を下回った供給先の供給総量を算出することを特徴とする請求項１〜請求項３のうちのいずれか一項に記載の商品振り分けシステム。
【発明の詳細な説明】
【技術分野】
【０００１】
この発明は、例えば商品を製造するメーカから商品を販売する店舗群の各店舗に対して発注商品を供給する場合のように、供給元から供給先群の各供給先に発注商品を供給する場合において、その供給商品を各供給先の在庫状況等に応じて振り分けるようにした商品振り分けシステムに関するものである。
【背景技術】
【０００２】
従来、商品を製造するメーカから小売店や中間卸店に商品を自動的に補給する商品自動補給装置としては、例えば、特許文献１に開示されるような構成のものが提案されている。この従来装置においては、小売店や中間卸店から各種商品の在庫データを取り込み、その在庫データに基づいて商品別に総出荷量、１日当たりの平均出荷量、基準在庫、発注点等を算出する。そして、在庫データが発注点を下回っているとき、基準在庫と在庫データとの差分に応じて、各商品の補給量を算出するようになっている。これにより、小売店や中間卸店における各種商品の発注業務を軽減することができるとともに、商品の発注忘れや重複発注の発生を防止することができ、しかも小売店や中間卸店において商品の在庫量を減らすことができるようにしている。
【特許文献１】特許第３５３５００７号公報
【発明の開示】
【発明が解決しようとする課題】
【０００３】
ところが、この従来の商品自動補給装置には、メーカと１つの小売店や中間卸店との間で、商品を発注して自動補給する方法については開示されているが、メーカと複数の小売店や中間卸店との間で、商品を発注して振り分け供給する方法については開示されていない。
【０００４】
昨今では、小売店や中間卸店等の店舗がチェーン店化する傾向にあり、複数の店舗から定期的に各種商品の在庫データを取り込んで、各商品の供給総量を取りまとめて発注し、その供給総量の内訳に基づき商品を各店舗に振り分けて供給することが多くなっている。このような場合、商品の発注時点から供給時点までに所定の納品期間を要するため、商品の供給時点では、各店舗において商品の在庫数量に変動が生じている。それにも拘らず、発注時点での各店舗の在庫データに基づいて供給商品の振り分けが行われると、商品が供給時点での各店舗の在庫数量に基づいて的確に補給されないで、商品在庫の不足を招く等の問題が生じた。
【０００５】
このような問題に対処するため、従来では例えばメーカと各店舗との間に集積センタ及び配送センタを設け、集積センタにおいてメーカで製造された各種商品を集積するとともに、配送センタにおいて各店舗への供給商品の振り分けを行うようにしている。そして、集積センタにおいて各種商品を集積在庫するほかに、配送センタにおいても各種商品を所定量ずつ在庫して、商品供給時点で商品在庫の不足を生じた店舗に対して、配送センタから商品を補充する方法がとられていた。このため、配送センタにおいては、各種商品の欠品等が生じないように、販売数量等の変化相当分をまかなう量の在庫を確保する必要があり、商品を在庫するのに余分なコストがかかるという問題があった。
【０００６】
この発明は、このような従来の技術に存在する問題点に着目してなされたものである。その目的は、配送センタ等において商品を在庫する必要がなく、その在庫のためのコストアップを抑制することができるとともに、発注された商品を各供給先へ供給時点での在庫数量等に応じて的確に振り分けて供給することができる商品振り分けシステムを提供することにある。
【課題を解決するための手段】
【０００７】
上記の目的を達成するために、請求項１に記載の発明においては、各供給先の在庫情報を確認して、供給元から供給先群に供給される商品の供給総量を算出して、それを各供給先に振り分ける商品振り分けシステムにおいて、商品の供給を受ける供給先群に対する商品の供給時点において、各供給先の在庫情報を確認する供給時点在庫情報確認手段と、その供給時点在庫情報確認手段により確認された在庫情報に基づいて各供給先への商品の振り分け数を算出し、その算出されたデータを通信手段を介して商品の供給を行う供給元に送信する振り分け数算出手段と
を備えたことを特徴とする。
【０００８】
請求項２に記載の発明は、商品の供給を受ける供給先群の各供給先と、それらの供給先に対して商品の供給を行う供給元との間でデータ通信を行う通信手段と、各供給先の在庫情報を確認して、供給元から供給先群に供給される商品の供給総量を算出し、その算出されたデータを前記通信手段を介して供給元に送信する供給総量算出手段と、前記供給先群に対する商品の供給時点において、各供給先の在庫情報を確認する供給時点在庫情報確認手段と、その供給時点在庫情報確認手段により確認された在庫情報に基づいて各供給先への商品の振り分け数を算出し、その算出されたデータを前記通信手段を介して供給元に送信する振り分け数算出手段とを備えたことを特徴とするものである。
【０００９】
請求項３に記載の発明は、請求項１に記載の発明において、前記供給元が、各供給先に対して商品を振り分ける振り分け部と、その振り分け部に対して商品を出荷する出荷部とよりなり、通信手段は、振り分け部と出荷部との間でデータ通信を行い、前記供給総量のデータを出荷部に、前記振り分け数のデータを振り分け部に送信することを特徴とするものである。
【００１０】
請求項４に記載の発明は、請求項１〜請求項３のうちのいずれか一項に記載の発明において、前記各供給先の最大在庫点、及びその最大在庫点と在庫零点との間の供給基準点を設定する設定手段を備え、前記供給総量算出手段は、在庫情報が最大在庫点または供給基準点を下回った供給先の供給総量を算出することを特徴とするものである。
【００１１】
（作用）
請求項１及び請求項２に記載の発明においては、供給時点在庫情報確認手段が各店舗に対する商品の供給時点における在庫情報を確認する。
【００１２】
そして、その確認結果に基づいて商品の振り分け数が算出される。従って、商品の供給元と各供給先との間に設けられた配送センタ等に商品を在庫して、商品の振り分け供給時の数量不足等に備える必要がなく、その在庫のためのコストアップを抑制することができる。また、前記のように、商品の供給時点において、各供給先の在庫情報を確認し、その確認された在庫情報に基づいて各供給先への商品の振り分け数を算出しているので、発注された商品を各供給先へ供給時点での在庫数量等に応じて的確に振り分けて供給することができる。そのため、供給先での欠品及び過剰在庫を抑制することが可能になる。
【００１３】
請求項３に記載の発明においては、供給元から各供給先への商品の出荷及び振り分けを、出荷部と振り分け部とに分担して迅速に行うことができる。
請求項４に記載の発明においては、供給先ごとに設定された最大在庫点、及びその最大在庫点と在庫零点との間の供給基準点に基づいて、商品の供給総量を適正に算出することができる。
【発明の効果】
【００１４】
以上のように、この発明によれば、配送センタ等において商品を在庫する必要がなく、その在庫のためのコストアップを抑制することができるとともに、発注された商品を各供給先へ供給時点での在庫数量等に応じて的確に振り分けて供給することができ、供給先での欠品及び過剰在庫を抑制することが可能になる。
【発明を実施するための最良の形態】
【００１５】
［第１の実施形態］
以下に、この発明の第１の実施形態を、図面に基づいて説明する。
（全体の構成）
図１に示すように、商品供給経路において、複数または一種類の商品を製造する複数のメーカ１１に一括対応して、商品の供給元としての出荷部を構成する集積センタ１２が設置されている。そして、各メーカ１１で製造された複数または一種類の商品が集積センタ１２に一旦搬入されて一時的に集積される。
【００１６】
商品を販売する複数の店舗１３に一括対応して、前記と同様に商品の供給元としての振り分け部を構成する配送センタ１４が設置されている。そして、前記集積センタ１２から出荷される商品がコンテナ１５に積載された状態で、船舶１６やトラック（図示しない）等の搬送手段により配送センタ１４に対して搬送される。また、前記各店舗１３により、商品の各供給先が構成され、その各店舗１３の群により供給先群が構成されている。そして、前記のように集積センタ１２から搬送出荷された商品が配送センタ１４に入荷された後、その配送センタ１４から各店舗１３に振り分け供給される。
【００１７】
図２に示すように、前記集積センタ１２、各店舗１３及び配送センタ１４のほかに、情報を処理するための処理センタ１７が設置されている。各店舗１３には、コンピュータ１８、データベース１９及び複数のＰＯＳ（Ｐｏｉｎｔ  Ｏｆ  Ｓａｌｅｓ）端末２０が装備されている。集積センタ１２、配送センタ１４及び処理センタ１７には、コンピュータ２１，２２，２３及びデータベース２４，２５，２６がそれぞれ装備されている。そして、各店舗１３、集積センタ１２、配送センタ１４及び処理センタ１７のコンピュータ１８，２１，２２，２３は、データ通信を行うためのインターネット等の通信ネットワーク２７を介して接続されている。ここで、コンピュータ１８，２１，２２，２３とは、サーバー及びルーターのうちの少なくとも一方を含むコンピュータシステムを指す。従って、コンピュータ１８，２１，２２，２３は、通信部、あるいは通信手段を構成する。
【００１８】
（商品振り分けシステムの構成）
図３に示すように、前記処理センタ１７のコンピュータ２３は、ＣＰＵ等を含む制御装置２８、各種の動作を制御するためのプログラムを格納するＲＯＭ２９、及び諸動作の実行に伴って発生したデータを一時的に記憶するためのＲＡＭ３０を備えている。制御装置２８には、各種データを表示するための表示部３１、諸データを印刷するための印刷部３２、前記データベース２６及び通信ネットワーク２７が接続されている。
【００１９】
前記制御装置２８は、各店舗１３の在庫情報を確認して、その在庫情報に基づいて、集積センタ１２から配送センタ１４を介して店舗１３群に供給する商品の供給総量を算出するための供給総量算出手段を構成している。また、制御装置２８は、店舗１３群に対する商品の供給時点において、各店舗１３の在庫情報を確認するための供給時点在庫情報確認手段を構成している。さらに、制御装置２８は、商品の供給時点において確認された在庫情報に基づいて、各店舗１３への商品の振り分け数を算出するための振り分け数算出手段を構成している。しかも、制御装置２８は、図５に示すように、各店舗１３において過去一定期間（例えば数週間）の商品の販売実績等に基づいて、商品の最大在庫点、及びその最大在庫点と在庫零点との間の供給基準点を設定するための設定手段を構成している。
【００２０】
なお、図５においては、説明の便宜上、各店舗（Ａ店〜Ｌ店）の最大在庫点及び供給基準点が店舗ごとに異なることなく、同一数値となるように設定されているが、実際には、前記最大在庫点と、それよって決定される供給基準点とは、各店舗（Ａ店〜Ｌ店）で販売実績等に応じて異なった数値が設定される。すなわち、過去一定期間の売り上げが多い店舗の場合には、その売り上げに応じて最大在庫点が大きな値となり、逆に、過去一定期間の売り上げが少ない場合には、最大在庫点が小さな値となる。
【００２１】
そして、図４に示すように、前記制御装置２８は前記通信ネットワーク２７を介して各店舗１３のコンピュータ１８に対してコマンドを送信する。このコマンドに対応して、各店舗１３のコンピュータ１８は、処理センタ１７のコンピュータ２３に対してデータベース１９から読み出した在庫情報及び商品供給時点在庫情報を送信する。また、処理センタ１７のコンピュータ２３は、データベース２６から読み出した振り分け数データ及び在庫更新データを各店舗１３に対して送信する。そして、この振り分け数データ及び在庫更新データは、各店舗１３のデータベース１９に記憶される。また、制御装置２８は集積センタ１２に対して、データベース２６から読み出した商品ごとの供給総量データを送信し、集積センタ１２のデータベース２４はそれを記憶する。さらに、制御装置２８は、集積センタ１２のコンピュータ２１に対してコマンドを送信し、そのコマンドに応答して、集積センタ１２のコンピュータは、処理センタ１７のコンピュータ２１に対して、出荷実績データを送信する。さらに、制御装置２８は、配送センタ１４のコンピュータ２２に対して、データベース２６から読み出した振り分け数データを送信するとともに、コマンドを送信して、配送センタ１４から処理センタ１７に対して、振り分け実績データを送信させる。
【００２２】
（動作説明）
次に、前記のように構成された商品振り分けシステムの動作を以下のフローチャートに従って説明する。この商品振り分けシステムによる以下の動作は、一種類の商品に対して実行されるものである。従って、商品の種類が複数種類、あるいは多数種類であれば、各商品に対して同じ処理が実行される。なお、以下のフローチャートに示す動作は、処理センタ１７のコンピュータ２３におけるＲＯＭ２９に記憶されたプログラムに基づき、制御装置２８の制御に従って実行される。
【００２３】
（商品の供給総量算出）
さて、この商品振り分けシステムにおいては、図６のフローチャートに示すような商品ごとの供給総量の算出動作が、適当時期、例えば毎週月曜日の営業開始前の所定時刻において定期的に実行される。すなわち、毎週月曜日の営業開始前の所定時刻になると、ステップＳ１において、各店舗１３の在庫情報が処理センタ１７のデータベース２６の所定の記憶領域から処理実行のためのワーキング領域に取り込まれる。ここで、各店舗１３の在庫情報のデータは、逐次各店舗１３から処理センタ１７に送信されて、データベース２６上で更新されている。前記在庫情報には、前日の閉店時における帳簿上の商品在庫の量（以後、これを帳簿在庫という）、過去一定期間の売り上げに応じてすでに設定されている商品ごとの最大在庫点、及びその最大在庫点と在庫零点（在庫なし）との間の供給基準点が含まれている。ここで、供給基準点は、商品の特性（季節販売特性等）や、納入リードタイム等の条件により、最大在庫点と、在庫零点との間で設定される（例えば、最大在庫の２分の１，３分の１，４分の１等）。
【００２４】
続いて、Ｓ２においては、各商品について、店舗１３ごとに帳簿在庫と供給基準点とが比較され、帳簿在庫が供給基準点以下の店舗１３が存在するか否かが判別される。例えば図５に示すＥ店〜Ｉ店のように、帳簿在庫が供給基準点以下の店舗１３がある場合には、次のＳ３に進行して動作が続行され、供給基準点以下の店舗１３がない場合には商品ごとの供給総量の算出動作が終了する。ここで、供給基準点は、商品の補充をするか否かを決定するポイントであり、原則として、帳簿在庫が供給基準点を下回った場合は、最大在庫点まで商品が補充される。従って、Ｓ２の判別において、供給基準点以下の店舗が存在しなかった場合には、商品補充のための発注が行われない。
【００２５】
そして、Ｓ３においては、最大在庫点への復帰総量の算出が行われる。すなわち、図５に示すように、帳簿在庫が供給基準点以下の店舗（Ｅ店〜Ｉ店）について、各店舗１３の最大在庫への復帰数量（最大在庫点−帳簿在庫）が算出され、各店舗の復帰数量の合計（図５の場合には、６＋７＋６＋８＋７＝３４個）が復帰総量として求められる。この復帰総量が発注される供給総量となる。
【００２６】
そして、図１、図２及び図４に示すように、この算出された復帰数量及び復帰総量データは、処理センタ１７のデータベース２６に記憶されるとともに、通信ネットワーク２７を介して、処理センタ１７から集積センタ１２に送信され、そこのデータベース２４に記憶される。集積センタ１２においては、供給総量データに基づいて商品がコンテナ１５に積載して出荷され、船舶１６等の搬送手段により配送センタ１４に向けて搬送される。それとともに、集積センタ１２から通信ネットワーク２７を介して処理センタ１７に対し、商品を供給総量データどおり出荷した旨の出荷実績データが送信されて、データベース２５に記憶される。その後、所要の期間（例えば、商品を発注した２週間後の毎週月曜日）をおいて、集積センタ１２から出荷された商品が配送センタ１４に到着すると、配送センタ１４において各店舗１３への商品の振り分け供給が行われる。
【００２７】
（各店舗に対する商品の振り分け）
この商品の振り分け供給時には、図７及び図８のフローチャートに示すような諸データの算出動作及び商品の振り分け数の算出動作が実行される。なお、これらの動作は、商品が配送センタ１４に入荷した直後の商品供給時に実行される。すなわち、この商品の振り分け供給時には、供給総量の算出を行った時点から期間が経過されているため、在庫の商品が販売されたり、供給総量算出以前の他の供給総量算出に基づいて商品供給を受けたりして、各店舗１３の在庫状況は変動している。従って、この変動した在庫状況と供給総量算出とに基づいて配送センタ１４に入荷した商品数から、以下のようにして振り分け数が改めて決定される。
【００２８】
図７のフローチャートにおいては、振り分けに先立って、あらかじめ各種の数値を算出して、保存しておく。すなわち、図７のＳ１０においては、前記データベース２６から商品供給時点での各店舗１３の在庫情報が前記ワーキングエリアに取り込まれる。この在庫情報には、各店舗１３の帳簿在庫、商品の最大在庫点及び供給基準点が含まれている。そして、Ｓ１１においては、供給基準点への復帰総量の算出が行われる。ここで、供給基準点への復帰とは、「供給基準点数量＋ｎ」を指すものとする。すなわち、図５の例に示すように、帳簿在庫が供給基準点以下の店舗（Ｅ店〜Ｉ店）について、（（供給基準点＋ｎ）−帳簿在庫）の復帰数量が算出され、その各店舗の復帰数量の合計（図５の場合には、２＋３＋２＋４＋３＝１４個）が求められる。前記「ｎ」には、１以上の数値が設定されるが、「供給基準点数量＋ｎ」が最大在庫点を越えないものとする。以下においては、ｎ＝１として説明する。
【００２９】
続いて、Ｓ１２においては、前述した図６のＳ３の動作と同様に、帳簿在庫が供給基準点以下の店舗（Ｅ店〜Ｉ店）について、最大在庫点への復帰総量の算出が行われる。ここで、最大在庫点への復帰とは、最大在庫点の数量への復帰を指すものである。すなわち、図５に示すように、帳簿在庫が供給基準点以下の店舗（Ｅ店〜Ｉ店）について、（最大在庫点−帳簿在庫）の復帰総量が算出され、その各店舗１３の復帰数量の合計（図５の場合には、６＋７＋６＋８＋７＝３４個）が求められる。次のＳ１３においては、前述した図６のＳ４の動作と同様に、帳簿在庫が最大在庫点以下の店舗について、全店舗の最大在庫点への復帰総量の算出が行われる。すなわち、図５に示すように、帳簿在庫が最大在庫点以下の店舗（Ａ店〜Ｃ店及びＥ店〜Ｌ店）について、（最大在庫点−帳簿在庫）の復帰数量が算出され、その各店舗の復帰数量の合計（図５の場合には、３＋４＋２＋６＋７＋６＋８＋７＋１＋３＋２＝４９個）が求められる。
【００３０】
次に、Ｓ１４においては、過剰在庫総量の算出が行われる。すなわち、図５に鎖線で示すように、帳簿在庫が最大在庫点を越えた店舗１３（Ｄ店）がある場合には、（帳簿在庫−最大在庫点）の過剰在庫数量が算出されて、その各店舗１３の過剰在庫数量の合計が求められる。さらに、Ｓ１５においては、余裕在庫総量の算出が行われる。すなわち、図５に示すように、帳簿在庫が供給基準点よりも多い店舗１３（Ａ店〜Ｄ店及びＪ店〜Ｌ店）について、（帳簿在庫−（供給基準点＋１））の余裕在庫数量が算出されて、その各店舗１３の余裕在庫数量の合計が求められる。
【００３１】
その後、図８のフローチャートのＳ１６においては、集積センタ１２から配送センタ１４に入荷した商品の入荷数のデータが前記ワーキングエリア取り込まれる。そして、Ｓ１７においては、入荷数が前記Ｓ１１で演算された供給基準点への復帰総量（図５の場合の１４個）よりも少ないか否かが判別される。入荷数が復帰総量よりも少ない場合にはＳ１８に進行し、入荷数が復帰総量よりも多い場合にはＳ２０に進行して、それぞれ動作が続行される。
【００３２】
入荷数が復帰総量よりも少ない場合であるＳ１８においては、前記過剰在庫及び余裕在庫を有する店舗１３が存在する場合、その過剰在庫及び余裕在庫の順で、（（供給基準点＋１）−入荷数）で表される不足分を補填するために補填分が算出される。すなわち、入荷数と補填数との和が供給基準点への復帰総量（（供給基準点＋１）×店舗数）に達するようにする。この場合、過剰在庫を用いた補填は、最大在庫点の小さい方の店舗１３の帳簿在庫から補填分が減算されて、復帰総量に加算される。この過剰在庫による補填を行っても供給基準点＋１に達しない場合は、最大在庫点の小さい方の店舗１３の帳簿在庫から余裕在庫の取り崩しが行われ、復帰総量（（供給基準点＋１）×店舗数）の補填が行われる。このように、復帰総量に対する不足分の補填が行われた後、Ｓ１９においては、供給時点での帳簿在庫が供給基準点以下の各店舗（Ｅ店〜Ｉ店）に対して、補填後の入荷数を（供給基準点＋１）まで振り分けるように、供給商品の振り分け数が算出される。
【００３３】
続いて、Ｓ２０においては、入荷数が、前記供給基準点への復帰総量を越えて、前記Ｓ１２で演算された最大在庫点への復帰総量（図５の場合の３４個）以下であるか否かが判別される。入荷数が復帰総量以下の場合にはＳ２１に進行し、入荷数が復帰総量を越える場合にはＳ２３に進行して、それぞれ動作が続行される。Ｓ２１においては、供給時点での帳簿在庫が供給基準点以下の各店舗（Ｅ店〜Ｉ店）に対して、入荷数を（供給基準点＋１）まで振り分けるように、供給商品の振り分け数が算出される。その後、Ｓ２２においては、帳簿在庫が最大在庫点以下の店舗（Ａ店〜Ｃ店及びＥ店〜Ｌ店）に対して、残りの入荷数を最大在庫点まで、あるいは最大在庫点に向かって振り分けるように、供給商品の振り分け数が算出される。この場合、最大在庫点が大きい店舗から順に振り分けるように、振り分け数が算出される。すなわち、最大在庫点の大きい店舗１３から順にその帳簿在庫が、最大在庫に復帰するように算出が行われる。
【００３４】
さらに、Ｓ２３においては、入荷数が前記Ｓ１３で演算された帳簿在庫が最大在庫点以下の全店舗の復帰総量（図５の場合の４９個）以下であるか否かが判別される。入荷数が復帰総量以下の場合にはＳ２４に進行し、入荷数が復帰総量を越えた場合にはＳ２６に進行して、それぞれ動作が続行される。Ｓ２４においては、供給時点での帳簿在庫が供給基準点以下の各店舗（Ｅ店〜Ｉ店）に対して、入荷数を（供給基準点＋１）まで振り分けるように、供給商品の振り分け数が算出される。その後、Ｓ２５においては、帳簿在庫が最大在庫点以下の店舗（Ａ店〜Ｃ店及びＥ店〜Ｌ店）に対して、残りの入荷数を最大在庫点まで振り分けるように、供給商品の振り分け数が算出される。この場合、最大在庫点と帳簿在庫との差が多い店舗から順に最大在庫に達するように、振り分け数が算出される。
【００３５】
次に、Ｓ２６においては、帳簿在庫が最大在庫点以下の全店舗に対して入荷数を最大在庫点まで振り分けるように、供給商品の振り分け数が算出される。その後、Ｓ２７においては、最大在庫点を基準にして各店舗１３に過剰の入荷数を振り分けるように、供給商品の振り分け数が加算される。すなわち、帳簿在庫が最大在庫点以下の各店舗１３に対して、『過剰入荷数×（該当店舗の最大在庫点÷各店舗の最大在庫点の合計）』の算出が実行され、この算出結果により、各店舗１３に対して振り分け数が加算される。
【００３６】
このように、供給商品の振り分け数の算出動作が終了すると、そのデータがデータベース２６の所定の領域に記憶されるとともに、図１、図２及び図４に示すように、処理センタ１７から通信ネットワーク２７を介して配送センタ１４に対し、供給商品の振り分け数データが送信されて、データベース２５に記憶される。それとともに、処理センタ１７から通信ネットワーク２７を介して各店舗１３に対し、供給商品の振り分け数データ、及びその振り分け数データにより更新した商品供給後の在庫更新データが送信される。そして、配送センタ１４においては、入荷商品がこの振り分け数データに基づいて振り分けられて、各店舗１３に供給される。その後、配送センタ１４から通信ネットワーク２７を介して処理センタ１７に対し、入荷商品が振り分け数データどおり各店舗１３に振り分け供給された旨の振り分け実績データが送信される。
【００３７】
以上のように、この商品振り分けシステムにおいては、商品の供給時点において、各店舗１３の在庫情報を確認し、その確認された在庫情報に基づいて各店舗１３への商品の振り分け数を算出している。このため、発注された商品を各店舗１３に対して、供給時点での在庫数量等に応じて的確に振り分けて供給することができる。また、商品の振り分けを行う配送センタ１４に余分に商品を在庫して、商品の振り分け供給時の数量不足等に備える必要がなくなるため、その商品在庫によりコストアップを招くおそれを抑制することができる。
【００３８】
［第２の実施形態］
以下に、この発明の第２の実施形態を、前記第１の実施形態と異なる部分について図９〜図１３に基づいて説明する。
【００３９】
この第２の実施形態においては、各商品ごとにそれぞれ取り扱い店舗１３が通常店舗と指定店舗とに分類分けされている。すなわち、通常店舗１３は、過去一定期間の当該商品の売り上げが通常またはそれ以下のレベルであって、この通常店舗の場合は、商品の帳簿在庫が前記供給基準点を下回った場合に商品が発注される。これに対し、指定店舗１３は、過去一定期間の該当商品の売り上げが高いレベルであって、この指定店舗の場合には、商品の帳簿在庫が前記最大在庫点を下回った場合に商品が発注される。
【００４０】
また、各商品がそれぞれ、通常商品と指定商品とに分類分けされている。すなわち、通常商品は、過去一定期間の売り上げが通常またはそれ以下のレベルであって、この通常商品の場合は、商品の帳簿在庫が前記供給基準点を下回った場合に発注される。これに対し、指定商品は、過去一定期間の売り上げが高いレベルであって、この指定商品の場合には、帳簿在庫が前記最大在庫点を下回った場合に発注される。
【００４１】
すなわち、図９に示すように、ひとつの商品の供給総量の決定プログラムがスタートすると、Ｓ３１において、店舗１３に指定店舗が含まれているか否かが判別され、含まれている場合には、Ｓ３３において、その指定店舗の発注点が最大在庫点−１に設定される。通常店舗については、Ｓ３４において発注点が最大在庫点と在庫零点との間の供給基準点とされる。また、Ｓ３２において、商品が指定商品であるか否かが判別され、指定商品である場合には、Ｓ３３において、店舗１３の相違にかかわらず、その商品の発注点が全店舗１３について最大在庫点−１に設定される。通常商品については、Ｓ３４において発注点が最大在庫点と在庫零点との間の供給基準点とされる。
【００４２】
商品が通常商品の場合、以降のＳ３５〜Ｓ３８において、前記第１の実施形態におけるＳ１〜Ｓ４と同様な処理が実行されるが、この第２の実施形態においては、第１の実施形態の供給基準点に代えて前記発注点を用いて処理が進行する。
【００４３】
そして、図１０及び図１１のＳ４０〜Ｓ５７において、第１の実施形態の図７及び図８のＳ１０〜Ｓ２７と同様な処理が実行される。この場合も、供給基準点のみの発注点に代えて、供給基準点または最大在庫点−１よりなる発注点に従った処理が実行される。
【００４４】
一方、商品が指定商品の場合は、帳簿在庫が発注点（最大在庫点）を下回った全店舗１３に対して最大在庫となるように商品が供給されるため、店舗ごとの発注点の相違が存在せず、また供給基準点が用いられないため、余裕在庫を算出できず、入荷数が少ない場合の補填に供する余裕在庫が存在しない。従って、図１２に示すように、商品供給時点における算出において、前記図１０のＳ４２，Ｓ４３及びＳ４５に対応する処理が不要で、前記Ｓ４０，Ｓ４１及びＳ４４に対応する店舗別在庫の取り込み（Ｓ６０），発注点復帰への総量算出（Ｓ６１）及び過剰在庫量の算出（Ｓ６４）が実行される。
【００４５】
また、図１３に示す振り分け数算出処理において、図１１のＳ４８における余裕在庫の処理が不要になり、過剰在庫数を用いた補填処理のみでよい。さらに、全店舗１３の発注点が最大在庫点であるため供給基準点と最大在庫点との間に関する処理が不要になるため、図１１におけるＳ５０〜Ｓ５５に対応した処理が不要になる。すなわち、配送センタ１４への入荷数の多寡が発注点総量と比較され（Ｓ６７）、不足分が生じた場合には、補填算出（Ｓ６８）を経て、振り分け算出（Ｓ６９）が実行される。また、不足が生じていない場合は、振り分け（Ｓ７６）を経て、過剰分の有無が判断され（Ｓ７８）、過剰分が生じている場合は、さらに前記と同様にして過剰分振り分け算出（Ｓ７７）が実行される。
【００４６】
従って、この第２の実施形態においても、前記第１の実施形態と同様に、発注された商品を各店舗１３に対して、供給時点での在庫数量等に応じて的確に振り分けて供給することができる。また、商品の振り分けを行う配送センタ１４に余分に商品を在庫して、商品の振り分け供給時の数量不足等に備える必要がなくなるため、その商品在庫によりコストアップを招くおそれを抑制することができる。また、この第２の実施形態においては、店舗ごとあるいは商品ごとに売り上げに応じてきめ細かく商品の発注と割り振りとを行うことができるため、第１の実施形態のコストアップ削減等をより有効に実行できる。
【００４７】
（他の実施形態）
この発明は、前記実施形態だけではなく、以下のような態様でも具体化できる。
・  商品の供給元としての集積センタ１２と配送センタ１４とを統合した構成にこの発明を用いること。
【００４８】
・  前記実施形態では、複数のメーカ１１からの商品を集積センタ１２に集積するようにしたが、１つのメーカ１１からの商品を集積センタ１２の集積するようにしたり、集積センタ１２を設けることなく、商品をメーカ１１またはメーカ１１の倉庫から直接配送センタ１４に搬送したりするようにすること。メーカ１１またはメーカ１１の倉庫から直接配送センタ１４に搬送する場合、メーカ１１の数は、１つでも複数でもよい。
【００４９】
・  処理センタ１７における各種の処理に用いる帳簿在庫の情報を、処理を行う都度に、店舗１３等のコンピュータ１８等にアクセスして取り込むように構成すること。
・  前記実施形態では、発注点への復帰として、供給基準点＋１または最大在庫点としたが、それ以外の数値、例えば、供給基準点、供給基準点＋２、最大在庫点＋１等の任意の数値とすること。
【００５０】
・  前記各実施形態では、供給先群の各供給先と、供給元との間でデータ通信を行い、各供給先の在庫情報を確認して、供給元から供給先群に供給される商品の供給総量を算出し、その算出されたデータをデータ通信を介して供給元に送信するようにした。これに対し、各供給先の在庫情報を確認や、算出された供給総量の供給元への送信を、電話連絡やファクシミリ通信に行うこと。
【００５１】
（別の技術的思想）
次に、上記実施形態及び別例から把握できる技術的思想について、それらの効果とともに以下に追記する。
【００５２】
（１）  供給先群を構成する各供給先の在庫情報を確認して、供給元から供給先群に供給される商品の供給総量を算出する供給総量算出ステップと、
供給先群に対する商品の供給時点において各供給先の在庫情報を確認する供給時点在庫情報確認ステップと、
その在庫情報に基づいて各供給先への商品の振り分け数を算出する振り分け数算出ステップと
の各ステップをコンピュータにより実行させることを特徴とした商品供給算出方法。
【００５３】
この構成によれば、前記請求項１に記載の作用効果と同様の作用効果を得ることができる。
（２）  コンピュータに、
供給先群を構成する各供給先の在庫情報を確認して、供給元から供給先群に供給される商品の供給総量を算出する供給総量算出手順と、
供給先群に対する商品の供給時点において各供給先の在庫情報を確認する供給時点在庫情報確認手順と、
その在庫情報に基づいて各供給先への商品の振り分け数を算出する振り分け数算出手順と
の各手順を実行させるためのプログラム。
【００５４】
この構成によれば、前記請求項１に記載の作用効果と同様の作用効果を得ることができる。
（３）  供給先群を構成する各供給先の在庫情報を確認して、供給元から供給先群に供給される商品の供給総量を算出する供給総量算出ステップと、
供給先群に対する商品の供給時点において各供給先の在庫情報を確認する供給時点在庫情報確認ステップと、
その在庫情報に基づいて各供給先への商品の振り分け数を算出する振り分け数算出ステップと
の各ステップをコンピュータにより実行させる商品供給算出方法であって、
前記供給総量算出ステップは、在庫情報が最大在庫点、または最大在庫点と在庫零点との間の供給基準点を下回った供給先の供給総量を算出することを特徴とした商品供給算出方法。
【００５５】
（４）  供給先群を構成する各供給先の在庫情報を確認して、供給元から供給先群に供給される商品の供給総量を算出する供給総量算出ステップと、
供給先群に対する商品の供給時点において各供給先の在庫情報を確認する供給時点在庫情報確認ステップと、
その在庫情報に基づいて各供給先への商品の振り分け数を算出する振り分け数算出ステップと
の各ステップをコンピュータにより実行させる商品供給算出方法であって、
前記振り分け数算出ステップは、入荷数が供給時点における在庫復帰総量より少ない場合、余剰在庫または余裕在庫から補填を行う算出を実行することを特徴とした商品供給算出方法。
【図面の簡単な説明】
【００５６】
【図１】第１の実施形態の商品振り分けシステムにおいて商品の供給経路を示すブロック図。
【図２】図１の商品振り分けシステムにおいて通信回線の接続状態を示すブロック図。
【図３】図２の商品振り分けシステムにおいて処理センタのコンピュータの構成を示すブロック図。
【図４】図２の商品振り分けシステムにおいてデータの送信状況を示す説明図。
【図５】店舗への商品の供給総量を算出するための説明図。
【図６】店舗への商品の供給総量を算出する場合の動作を示すフローチャート。
【図７】商品供給時点の在庫情報確認に際して諸データを算出する場合の動作を示すフローチャート
【図８】商品の振り分け数を算出する場合の動作を示すフローチャート。
【図９】第２の実施形における態店舗への商品の供給総量を算出する場合の動作を示すフローチャート。
【図１０】同第２の実施形態における商品供給時点の在庫情報確認に際して諸データを算出する場合の動作を示すフローチャート。
【図１１】同第２の実施形態における商品の振り分け数を算出する場合の動作を示すフローチャート。
【図１２】同第２の実施形態における商品供給時点の在庫情報確認に際して諸データを算出する場合の動作を示すフローチャート。
【図１３】同第２の実施形態における商品の振り分け数を算出する場合の動作を示すフローチャート。
【符号の説明】
【００５７】
１１…メーカ、１２…供給元の出荷部としての集積センタ、１３…供給先群の供給先としての店舗、１４…供給元の振り分け部としての配送センタ、１７…処理センタ、１８，２１，２２，２３…コンピュータ、２７…通信手段及び通信ネットワークとしての通信回路、２８…供給総量算出手段、供給時点在庫情報確認手段、振り分け数算出手段及び設定手段を構成する制御装置、２９…ＲＯＭ、３０…ＲＡＭ。
【図１】
2006062815.tif 000003
【図２】
2006062815.tif 000004
【図３】
2006062815.tif 000005
【図４】
2006062815.tif 000006
【図５】
2006062815.tif 000007
【図６】
2006062815.tif 000008
【図７】
2006062815.tif 000009
【図８】
2006062815.tif 000010
【図９】
2006062815.tif 000011
【図１０】
2006062815.tif 000012
【図１１】
2006062815.tif 000013
【図１２】
2006062815.tif 000014
【図１３】
2006062815.tif 000015